(57)【要約】【課題】コンパクト化を図りながら、刈り高さ調整を本体ケースの左右のどちらからでも容易におこなえるようにする。【解決手段】櫛状の固定刃１に対して可動刃２を摺接させるようにした刃ブロック３と、可動刃２を駆動するモータのような駆動手段４と、固定刃１もしくは可動刃２を刃先方向にスライドさせて刈り高さ調節をおこなう調節手段５を備えたヘアカッターであって、駆動手段４の横断面形状を略四方形にし、調節手段５の操作部６を本体ケース７の幅寸法より大にし、本体ケース７の幅方向の両側に操作部６を突出させた。【選択図】        図１
2004147695.tif 000002
【特許請求の範囲】
【請求項１】
櫛状の固定刃に対して可動刃を摺接させるようにした刃ブロックと、可動刃を駆動するモータのような駆動手段と、固定刃もしくは可動刃を刃先方向にスライドさせて刈り高さ調節をおこなう調節手段を備えたヘアカッターであって、駆動手段の横断面形状を略四方形にし、調節手段の操作部を本体ケースの幅寸法より大にし、本体ケースの幅方向の両側に操作部を突出させて成ることを特徴とするヘアカッター。
【請求項２】
駆動手段はリニアアクチュエータであることを特徴とする請求項１記載のヘアカッター。
【請求項３】
操作部を板状の回転ダイヤルとし、ダイヤル表面を本体ケースの表面に略平行にし、回転ダイヤルの大部分を本体ケースに内蔵して成ることを特徴とする請求項１記載のヘアカッター。
【請求項４】
刈り高さを表示する表示窓を本体ケースに設けて成ることを特徴とする請求項１又は３記載のヘアカッター。
【請求項５】
操作部の外周に凹凸を付けて指掛かりを形成して成ることを特徴とする請求項１又は３記載のヘアカッター。
【請求項６】
操作部の外周に弾性部材を設けて成ることを特徴とする請求項１又は３記載のヘアカッター。
【請求項７】
操作部に対してクリック作用にて操作位置を保持するクリック部材を設けて成ることを特徴とする請求項１又は３記載のヘアカッター。
【請求項８】
操作部の同一方向の回転によって高低の刈り高さ調整を可能にして成ることを特徴とする請求項１又３記載のヘアカッター。
【請求項９】
操作部の回転操作に連動して本体の動作を制御するスイッチ部材を設けて成ることを特徴とするもの請求項１又３記載のヘアカッター。
【請求項１０】
操作部の作動をロックするロック部材を設けて成ることを特徴とする請求項１又３記載のヘアカッター。
【請求項１１】
本体の電源スイッチの入り操作に連動して操作部の作動をロックし、電源スイッチの切り操作に連動して操作部の作動を許容するように、操作部の作動をロックするロック部材と電源スイッチとを兼ねて成ることを特徴とする請求項１又は３又は１０記載のヘアカッター。
【発明の詳細な説明】
【０００１】
【発明の属する技術分野】
本発明は、ヘアカッターに関し、詳しくは、コンパクト化を図りながら、刈り高さ調整を本体ケースの左右のどちらからでも容易におこなえるようにして使いやすくする技術に係るものである。
【０００２】
【従来の技術】
一般に、櫛状の固定刃に対して可動刃を摺接させるようにした刃ブロックと、可動刃を駆動するモータのような駆動手段と、固定刃もしくは可動刃を刃先方向にスライドさせて刈り高さ調節をおこなう調節手段を備えたヘアカッターにおいては、モータのような駆動手段にて可動刃を固定刃に対して往復運動させて導入された毛髪をカットするのであり、この場合、固定刃と可動刃の刃先方向の位置関係を変化させてカット位置における固定刃の厚さを変更し、カット後の残された毛髪の長さを調節する刈り高さ調節をおこなうのである。
【０００３】
ところで、例えば、図２６に示す従来のヘアカッターにおいては、モータのような駆動手段の外周に調節手段の回転ダイヤル８ａを設け、回転ダイヤル８ａの操作によって調整素子５ａを固定刃１及び可動刃２に対して位置を変更して刈り高さ調節をおこなうのである。（例えば、特許文献１参照）
このような特許文献１においては、リニアモータのように横断面形状が略四方形となっている駆動手段４ａを使用する場合には、筒状の回転ダイヤル８ａが大きくなって本体が大型化するものである。
【０００４】
また、例えば、図２７に示す他の従来のヘアカッターＡａにおいては、ヘアカッター本体１の一側部に回転ダイヤル８ｂを設け、ダイヤル操作により刈り高さを調節するものがある。（例えば、特許文献２参照）
このような特許文献２においては、回転ダイヤル８ｂを回転操作する際に右、左手での操作に差があり、持ち手を変えたりするなど使い難いという問題があった。
【０００５】
【特許文献１】
特開平１−２１４３８８号公報（第２頁右下欄下から８行〜同下から２行、ＦＩＧ．９）
【特許文献２】
特開平４−５８９８６号公報（第４頁左上欄１９行〜同右上欄３行、
図１、図２）
【０００６】
【発明が解決しようとする課題】
本発明はこのような問題に鑑みてなされたものであり、コンパクト化を図りながら、刈り高さ調整を本体ケースの左右のどちらからでも容易におこなえるようにして使いやすいヘアカッターを提供することを目的とするものである。
【０００７】
【課題を解決するための手段】
請求項１の発明においては、櫛状の固定刃１に対して可動刃２を摺接させるようにした刃ブロック３と、可動刃２を駆動するモータのような駆動手段４と、固定刃１もしくは可動刃２を刃先方向にスライドさせて刈り高さ調節をおこなう調節手段５を備えたヘアカッターであって、駆動手段４の横断面形状を略四方形にし、調節手段５の操作部６を本体ケース７の幅寸法より大にし、本体ケース７の幅方向の両側に操作部６を突出させてあることを特徴とするものである。
【０００８】
このような構成によれば、横断面形状が略四方形となる駆動手段４を備えるヘアカッターにおいて、本体ケース７の両側に突出している操作部６を左右のどちら側からでも操作をすることができ、持ち替えることがなくて使いやすいものである。
【０００９】
この場合、駆動手段４は、請求項２の発明のように、横断面形状が略四方形となるリニアアクチュエータであることが好ましい。
【００１０】
請求項３の発明においては、操作部６を板状の回転ダイヤル８とし、ダイヤル表面を本体ケース７の表面に略平行にし、回転ダイヤル８の大部分を本体ケース７に内蔵していることを特徴とするものである。このような構成によれば、横断面形状が略四方形となる駆動手段４を備えたヘアカッターにおいて、板状の回転ダイヤル８は本体ケース７の表面に略平行となっていて、ヘアカッターを薄型にコンパクト化でき、かつ、回転ダイヤル８は一つの部品となって部品点数を増すことがなく、回転ダイヤル８の大部分は本体ケース７に内蔵されていて、外観を高め、誤操作を防止することができる。
【００１１】
請求項４の発明においては、回転ダイヤル８に刈り高さ目盛り１６を形成し、刈り高さ目盛り１６を表示する表示窓１０を本体ケース７に設けていることを特徴とするものである。このような構成によれば、現在設定している刈り高さを目視で確認することができる。
【００１２】
請求項５の発明においては、操作部６の外周に凹凸を付けて指掛かり９を形成していることを特徴とするものである。このような構成によれば、刈り高さの変更操作に際して、指の滑りを防止することができる。
【００１３】
請求項６の発明においては、操作部６の外周に弾性部材を設けていることを特徴とするものである。このような構成によれば、刈り高さの変更操作に際して、指の滑りを防止することができる。
【００１４】
請求項７の発明においては、操作部６に対してクリック作用にて操作位置を保持するクリック部材１２を設けていることを特徴とするものである。このような構成によれば、操作部６の操作位置をクリック部材１２によって確実に保持することができ、誤操作を防止することができる。
【００１５】
請求項８の発明においては、操作部６の同一方向の回転によって高低の刈り高さ調整を可能にしていることを特徴とするものである。このような構成によれば、同一操作によって刈り高さ調節を自在におこなうことができる。
【００１６】
請求項９の発明においては、操作部６の回転操作に連動して本体の動作を制御するスイッチ部材１３を設けていることを特徴とするものである。このような構成によれば、操作部６の回転操作に伴って本体の動作を制御するスイッチ部材１３を作動させることができ、操作部６を初期位置から次段階に移動させることにより刈り高さ調節と本体の動作切り替えを同時におこなうことができる。
【００１７】
請求項１０の発明においては、操作部６の作動をロックするロック部材１４を設けていることを特徴とするものである。このような構成によれば、ロック部材１４にて操作部６をロックすることにより設定された刈り高さをロックすることができ、設定した刈り高さ以外での使用を防止することができる。
【００１８】
請求項１１の発明においては、本体の電源スイッチ１５の入り操作に連動して操作部６の作動をロックし、電源スイッチ１５の切り操作に連動して操作部６の作動を許容するように、操作部６の作動をロックするロック部材１４と電源スイッチ１５とを兼ねていることを特徴とするものである。このような構成によれば、電源スイッチ１５の入り操作に伴って操作部６の作動をロックすることができ、設定した刈り高さ以外での使用を防止できながら、部品の兼用化ができて構成を簡素化することができる。
【００１９】
【発明の実施の形態】
以下、本発明の実施の形態を説明する。図１は刃ブロックを外した外観斜視図である。図２は分解斜視図である。図３は刃ブロックの斜視図である。図４は刈り高さ調節作用を示し、同図（ａ）は刈り高さを高くした説明図、同図（ｂ）は刈り高さを低くした説明図である。
【００２０】
ヘアカッターは、櫛状の固定刃１に対して可動刃２を刃先を前とする前後方向とは略直交する切断方向に往復運動させて摺接させる刃ブロック３と、可動刃２を上記切断方向に往復運動させて駆動するリニアモータ４３のような駆動手段４と、固定刃１もしくは可動刃２を前後方向にスライドさせて刈り高さ調節をおこなう調節手段５を備えている。本実施の形態においては、可動刃２を固定刃１に対して前後方向にスライド移動させて刈り高さ調節をおこなうようにしている。
【００２１】
具体的には、図３に示すように、ベース４０に固定刃１を固定し、ベース４０に回動台４２を刃先方向に回動自在に設け、回動台４２から延出した押さえばね４１にて可動刃２を押さえて固定刃１に押圧し、回動台４２より被動レバー４５が延出され、刈り高さを調節する後述の調節手段５の刃押し上げレバー４６が被動レバー４５を押圧することで、回動台４２を回動させ、押さえばね４１を介して可動刃２を刃先方向に移動させて刈り高さＨ１を低く調節し（図４（ｂ）参照）、又、調節手段５の刃押し上げレバー４６がリニアモータ４３側に後退することで、回動台４２が押さえばね４１によって後方に回動して可動刃２を後方に移動させて刈り高さＨ２を低く調節するようにしている（図４（ａ）参照）。このような刈り高さ調整機構は周知の構成のものである。
【００２２】
本体ケース７に内蔵された駆動手段４としてのリニアモータ（リニアアクチュエータ）４３の可動子２２が可動子受け４４に係合して可動刃２を固定刃１に対して切断方向に往復運動させ、固定刃１との協同によって導入された毛髪をカットするようにしている。
【００２３】
図２に示すように、リニアモータ４３は直方体形状に構成され、横断面形状を略四方形になっている。前方に突出された駆動子となる可動子２２が左右方向に駆動（振動）されるようにしている。
【００２４】
上ケース４７、下ケース４８及びダイヤルカバー５３とで構成される本体ケース７において、上ケース４７及び下ケース４８の間にリニアモータ４３及びバッテリー（図示せず）等が内蔵され、上ケース４７に設けた軸４９に刈り高さ調節手段５の操作部６となる板状の回転ダイヤル８を回転自在に保持している。符号５９は押さえである。
【００２５】
上ケース４７の先端部の左右に支軸５０、５０を突出し、左右の支軸５０、５０にロ字状の揺動枠５１を孔６０、６０において揺動自在に保持している。揺動枠５１に刈り高さを調節する調節手段５の刃押し上げレバー４６をピン６１及び長孔６２を介して連結している。揺動枠５１には略球状の被動部材５２が突出されている。回転ダイヤル８の裏面には回転中心よりの距離が次第に変化しているカム溝１８が形成されている。カム溝１８に被動部材５２が係入されている。
【００２６】
しかして、回転ダイヤル８を指で回転操作させることで、カム溝１８に係入している被動部材５２が回転ダイヤル８の回転中心に対して近接及び離間することによって、揺動枠５１を支軸５０の周りに揺動させて刃押し上げレバー４６を押し引き操作して刈り高さ調節をおこなうことができるようにしている。
【００２７】
上ケース４７の上端部にはダイヤルカバー５３を回転ダイヤル８の大部分を隠すように取り付けている。
【００２８】
このように本発明においては、駆動手段４をリニアモータ４３としてその横断面形状を略四方形にし、調節手段５の操作部６を回転ダイヤル８として本体ケース７の幅寸法より大にし、本体ケース７の幅方向の両側に回転ダイヤル８を突出させている。
【００２９】
このような構成によれば、横断面形状が略四方形となるリニアモータ４３を備えるヘアカッターにおいて、本体ケース７の両側に突出している回転ダイヤル８を左右のどちら側からでも操作ができ、持ち替えることがなくて使いやすいものである。
【００３０】
この場合、操作部６を板状の回転ダイヤル８とし、ダイヤル表面を本体ケース７の表面、具体的には、上ケース４７の表面に略平行にし、回転ダイヤル８の大部分を本体ケース７に内蔵しているのであり、板状の回転ダイヤル８は本体ケース７の表面に略平行となっていて、ヘアカッターＡを薄型にコンパクト化でき、本体ケース７の両側に操作部６を備えながら、回転ダイヤル８は一つの部品となって、部品点数を増すことがなく、回転ダイヤル８の大部分は本体ケース７に内蔵されていて、外観を高め、誤操作を防止することができる。
【００３１】
図７及び図８に示すように、回転ダイヤル８には刈り高さ目盛り１６を整数にて表示し、このような刈り高さ目盛り１６を表示する表示窓１０をダイヤルカバー５３に設けている。
【００３２】
しかして、現在設定している刈り高さを目視で確認することができて使いやすいものである。
【００３３】
回転ダイヤル８の外周に凹凸を付けて指掛かり９を形成していて刈り高さの変更操作に際して、指の滑りを防止することができて使いやすいものである。この場合、回転ダイヤル８の外周に弾性部材を設けて滑り止めを図ってもよいものである。
【００３４】
図１１及び図１２に示すように、上ケース４７に保持部１１…を形成してばね製のクリック部材１２を保持している。クリック部材１２には山形のクリック突部５４を形成し、回転ダイヤル８にはクリック受け凹部５５を形成している。
【００３５】
しかして、回転ダイヤル８の所望の操作位置において、クリック突部５４がクリック受け凹部５５に弾入して、回転ダイヤル８の操作位置を確実に保持することができ、操作が容易でかつ誤操作を防止することができる。
【００３６】
図１３乃至図１７はリニアモータ４３の実施の一形態としての具体構造を示している。
【００３７】
２種の可動子２２、２２は、いずれも永久磁石２４とバックヨーク２５とこれらを一体化する骨組部材２６とで構成している。バックヨーク２５は磁性材料であって永久磁石２４に接触している。固定子３２は磁性材料の焼結体や磁性材料の鉄板を積層した部材に巻線２７を巻廻した電磁石により構成している。このように、電磁石により構成した固定子３２は可動子２２に設けた永久磁石２４とギャップ２８（図１４）を隔てて面対向している。
【００３８】
例えば板ばねの連結体２９の上端を基台３０に連結し、基台３０をシャーシ２３にねじ具または溶接により固着している。連結体２９の下端に支持板３１を固定し、支持板３１と可動子２２を固定している。固定子３２を構成する電磁石はねじ具または溶接によりシャーシ２３に固定している。このように、本実施の形態においては、可動子２２は固定部となるシャーシ２３から板ばねの連結体２９により吊り下げられた構成となっている。
【００３９】
本実施の形態においては、可動子２２と固定子３２が非接触であるため、従来のように可動子と固定子間で摺動部を有するものにくらべて低騒音であり、また、長寿命を実現することができる。
【００４０】
尚、連結体２９とはコイルスプリングのような別のばね成分３３により可動子２２とシャーシ２３、あるいは各可動子２２、２２間を連結させてもよい。連結体２９を板ばねにより構成する、あるいは、ばね成分３３を可動子２２に作用させることにより、リニアアクチュエータの往復運動の振動数を一定に保つことができるようになる。
【００４１】
しかして、固定子３２である電磁石の電流方向を交番することで、可動子２２に取り付けた永久磁石２４が磁力により往復方向に移動するようになっているいわゆるリニアモータと称される振動型アクチュエータを構成しており、この振動型アクチュエータは可動子２２、固定子３２が連結体２９、シャーシ２３を介して位置固定されてブロック化してある。
【００４２】
ところで、固定子３２をシャーシ２３に固定せず、可動子２２、連結体２９、シャーシ２３のブロックとは別として固定子３２をヘアカッター本体１に固定するようにしてもよい。
【００４３】
このように、可動子２２は永久磁石２４と電磁石との吸引、反発力により移動するが、その移動方向は連結体２９により振動型アクチュエータの往復運動方向にのみ移動可能となっている。往復運動の右方向運動と左方向運動では巻線２７に与える電流の向きを反転させる。つまり、移動方向に推進力が働く方向に電流を流すのである。このような振動型アクチュエータの構成は種々設計変更することができる。
【００４４】
図１８は回転ダイヤル８におけるカム溝１８の他の実施の形態を示している。
【００４５】
本実施の形態においては、カム溝１８を略ハート形に形成して３６０度連続させることで、回転ダイヤル８の同一方向の回転によって高低の刈り高さ調整を可能にしているものである。このような構成によれば、同一操作によって刈り高さ調節を自在におこなうことができる。
【００４６】
図１９は更に他の実施の形態を示し、但し、本実施の形態の基本構成は上記実施の形態と共通であり、共通する部分には同一の符号を付して説明は省略する。
【００４７】
本実施の形態においては、回転ダイヤル８にカム溝１８とは別にガイド溝１９を形成し、本体の動作を制御するスイッチ部材１３の操作子５６をガイド溝１９に係入し、又、スイッチ部材１３の操作子５６は上ケース４７の操作用の長孔５７にスライド自在に係入されている。ガイド溝１９の形状は、初期位置から所定位置までは、回転ダイヤル８の回転操作によってスイッチ部材１３が平行に移動するようにカム形に形成し、それ以降の回転ダイヤル８の回転操作においてスイッチ部材１３を移動させないように円形に形成している。
【００４８】
しかして、回転ダイヤル８の回転操作に伴って本体の動作を制御するスイッチ部材１３を作動させるものであり、スイッチ部材１３を初期位置から次段階に移動させることにより刈り高さ調節と本体の動作切り替えを同時におこなうことができるようにしている。この場合、スイッチ部材１３の背面に導電板を取り付けておくことで、従来のスイッチと同様の機能を持たせることが可能となるのである。このように、回転ダイヤル８を初期位置から所定位置に回転操作することで、刈り高さ調節と本体の動作を同時におこなうことができる。
【００４９】
図２３は更に他の実施の形態を示し、但し、本実施の形態の基本構成は上記実施の形態と共通であり、共通する部分には同一の符号を付して説明は省略する。
【００５０】
本実施の形態においては、回転ダイヤル８に周方向に間隔を隔ててロック凹所５８を形成し、上ケース４７にロック部材１４をスライドガイド手段によってスライド自在に設けている。
【００５１】
しかして、ロック部材１４をスライドさせてロック部材１４の突部を回転ダイヤル８のロック凹所５８に係入することで、回転ダイヤル８の操作位置においてロックすることができ、設定された刈り高さをロックして、設定した刈り高さ以外での使用を防止することができるのである。
【００５２】
この場合、ロック部材１４は、本体の電源スイッチ１５に兼用している。したがって、電源スイッチ１５の入り操作に連動して回転ダイヤル８の作動をロックし、電源スイッチ１５の切り操作に連動して回転ダイヤル８の作動を許容するのであり、電源スイッチ１５の入り操作に伴って回転ダイヤル８の作動をロックすることで、設定した刈り高さ以外での使用を阻止できながら、部品の兼用化ができて構成を簡素化することができる。
【００５３】
【発明の効果】
請求項１の発明においては、櫛状の固定刃に対して可動刃を摺接させるようにした刃ブロックと、可動刃を駆動するモータのような駆動手段と、固定刃もしくは可動刃を刃先方向にスライドさせて刈り高さ調節をおこなう調節手段を備えたヘアカッターであって、駆動手段の横断面形状を略四方形にし、調節手段の操作部を本体ケースの幅寸法より大にし、本体ケースの幅方向の両側に操作部を突出させてあるから、横断面形状が略四方形となる駆動手段を備えるヘアカッターにおいて、本体ケースの両側に突出している操作部を左右のどちら側からでも操作ができ、持ち替えることがなくて使いやすいという利点がある。
【００５４】
請求項３の発明においては、請求項１の効果に加えて、操作部を板状の回転ダイヤルとし、ダイヤル表面を本体ケースの表面に略平行にし、回転ダイヤルの大部分を本体ケースに内蔵しているから、横断面形状が略四方形となる駆動手段を備えたヘアカッターにおいて、板状の回転ダイヤルは本体ケースの表面に略平行となっていて、ヘアカッターを薄型にコンパクト化でき、回転ダイヤルは一つの部品となって部品点数を増すことがなく、回転ダイヤルの大部分は本体ケースに内蔵されていて、外観を高め、誤操作を防止することができるという利点がある。
【００５５】
請求項４の発明においては、請求項１又は３の効果に加えて、回転ダイヤルに刈り高さ目盛りを形成し、刈り高さ目盛りを表示する表示窓を本体ケースに設けているから、現在設定している刈り高さを目視で確認することができるという利点がある。
【００５６】
請求項５の発明においては、請求項１又は３の効果に加えて、操作部の外周に凹凸を付けて指掛かりを形成しているから、刈り高さの変更操作に際して、指の滑りを防止することができるという利点がある。
【００５７】
請求項６の発明においては、請求項１又は３の効果に加えて、操作部の外周に弾性部材を設けているから、刈り高さの変更操作に際して、指の滑りを防止することができるという利点がある。
【００５８】
請求項７の発明においては、請求項１又３の効果に加えて、操作部に対してクリック作用にて操作位置を保持するクリック部材を設けているから、操作部の操作位置をクリック部材によって確実に保持することができ、誤操作を防止することができるという利点がある。
【００５９】
請求項８の発明においては、請求項１又３の効果に加えて、操作部の同一方向の回転によって高低の刈り高さ調整を可能にしているから、同一操作によって刈り高さ調節を自在におこなうことができるという利点がある。
【００６０】
請求項９の発明においては、請求項１又３の効果に加えて、操作部の回転操作に連動して本体の動作を制御するスイッチ部材を設けているから、操作部の回転操作に伴って本体の動作を制御するスイッチ部材を作動させることができ、初期位置から次段階に移動させることにより刈り高さ調節と本体の動作切り替えを同時におこなうことができるという利点がある。
【００６１】
請求項１０の発明においては、請求項１又３の効果に加えて、操作部の作動をロックするロック部材を設けているから、ロック部材にて操作部をロックすることにより設定された刈り高さをロックすることができ、設定した刈り高さ以外での使用を阻止することができるという利点がある。
【００６２】
請求項１１の発明においては、請求項１又は３又は１０の効果に加えて、本体の電源スイッチの入り操作に連動して操作部の作動をロックし、電源スイッチの切り操作に連動して操作部の作動を許容するように、操作部の作動をロックするロック部材と電源スイッチとを兼ねているから、電源スイッチの入り操作に伴って操作部の作動をロックすることができ、設定した刈り高さ以外での使用を阻止できながら、部品の兼用化ができて構成を簡素化することができるという利点がある。
【図面の簡単な説明】
【図１】本発明の実施の一形態を示し、刃ブロックを外した外観斜視図である。
【図２】同上の分解斜視図である。
【図３】同上の刃ブロックの概略斜視図である。
【図４】同上の刈り高さ調節作用を示し、（ａ）は刈り高さを高くした説明図、（ｂ）は刈り高さを低くした説明図である。
【図５】同上の刈り高さ調節機構において刈り高さを高くした状態の要部の斜視図である。
【図６】同上の刈り高さ調節機構において刈り高さを低くした状態の要部の斜視図である。
【図７】同上の刈り高さ目盛りを表示する表示窓を示す斜視図である。
【図８】同上の回転ダイヤルの刈り高さ目盛りを示す斜視図である。
【図９】同上の回転ダイヤルと刈り高さ調節機構とを示す分解斜視図である。
【図１０】同上の回転ダイヤルに形成したカム溝を示す回転ダイヤルの背面図である。
【図１１】同上の回転ダイヤルに形成したクリック受け部及びクリック部材を保持する保持部を示す斜視図である。
【図１２】同上のクリック部材と回転ダイヤルのクリック受け部との関係を示す説明図である。
【図１３】同上のリニアモータの斜視図である。
【図１４】同上のリニアモータの正面図である。
【図１５】同上のリニアモータの分解斜視図である。
【図１６】同上のリニアモータの斜視図である。
【図１７】同上のリニアモータの斜視図である。
【図１８】同上の回転ダイヤルに形成したカム溝の他の実施の形態を示す説明図である。
【図１９】同上の回転ダイヤルの更に他の実施の形態を示す裏面からの斜視図である。
【図２０】（ａ）はスイッチ部材の操作子と長孔の関係を示す表面からの斜視図、（ｂ）は裏面からの斜視図である。
【図２１】同上の回転ダイヤルとスイッチ部材との関係を示す斜視図である。
【図２２】同上の回転ダイヤルとスイッチ部材との関係を示す斜視図である。
【図２３】同上の他の実施の形態を示し、回転ダイヤルとロック部材の関係を示す斜視図である。
【図２４】同上のロック状態を示す斜視図である。
【図２５】同上の拡大斜視図である。
【図２６】従来例の一部破断した要部の断面図である。
【図２７】他の従来例の斜視図である。
【符号の説明】
１    固定刃
２    可動刃
３    刃ブロック
４    駆動手段
５    調節手段
６    操作部
７    本体ケース
８    回転ダイヤル
９    指掛かり
１０  表示窓
１２  クリック部材
１３  スイッチ
１４  ロック部材
１５  電源スイッチ
１６  刈り高さ目盛り
【図１】
2004147695.tif 000003
【図２】
2004147695.tif 000004
【図３】
2004147695.tif 000005
【図４】
2004147695.tif 000006
【図５】
2004147695.tif 000007
【図６】
2004147695.tif 000008
【図７】
2004147695.tif 000009
【図８】
2004147695.tif 000010
【図９】
2004147695.tif 000011
【図１０】
2004147695.tif 000012
【図１１】
2004147695.tif 000013
【図１２】
2004147695.tif 000014
【図１３】
2004147695.tif 000015
【図１４】
2004147695.tif 000016
【図１５】
2004147695.tif 000017
【図１６】
2004147695.tif 000018
【図１７】
2004147695.tif 000019
【図１８】
2004147695.tif 000020
【図１９】
2004147695.tif 000021
【図２０】
2004147695.tif 000022
【図２１】
2004147695.tif 000023
【図２２】
2004147695.tif 000024
【図２３】
2004147695.tif 000025
【図２４】
2004147695.tif 000026
【図２５】
2004147695.tif 000027
【図２６】
2004147695.tif 000028
【図２７】
2004147695.tif 000029